(57)【要約】      （修正有）【課題】光ファイバ接続において、光ファイバの折れや脱落がなく光ファイバ被覆コードを強固に把持固定し、且つ、簡易的に取り付け可能な把持固定部品及び方法を提供【解決手段】コレットチャックは、円錐形状の両端を有し外形が円筒形状で、長手方向に二つ以上の割りがあり、円筒形状部の中心には被覆コードを収め、また円錐形状の中心には被覆コードチャックに適した被覆コード外形形状より小さい内径を有す。コレットチャック固定部品は、円筒形状であり、かん合する本体外径の内径を有し、その一端は内径が凸状に突出し、且つ突出面は、コレットチャックの円錐形状に沿ったテーパー形状であり、チャック部が締まる方向にコレットチャック固定部品をネジ込みさせる事で、コレットチャックのチャック部を締める光ファイバ被覆コードの把持固定固定用部品と、その把持固定方法。【選択図】図４
2006023689.tif 000002
【特許請求の範囲】
【請求項１】
光ファイバ被覆コードを把持するコレットチャック、また該コレットチャックを開閉するコレットチャック固定部品により構成され、該コレットクランプが締まる方向に、該コレットチャック固定部品をネジ込み、またはスライド移動させ、接続された光ファイバ被覆コードをチャックする構造である事を特徴とする光ファイバ被覆コードの把持固定用部品及び把持固定方法。
【請求項２】
前記、コレットチャックは、外形が円筒形状で一端が円錐状に締まった形状または、広がった形状で連結しており、長手方向に二つ以上割りのある部品であり、円筒形状部の中心は被覆コード外形形状の内径であり該被覆コードを収め、また円錐形状部の中心には被覆コードチャックに適した被覆コード外形形状より小さい内径を有し、該円筒形状部は光ファイバ接続部を収めた本体に挿入し、該光ファイバ接続部に隣接させ、かん合する事を特徴とする請求項１記載の光ファイバ被覆コードの把持固定用部品及び把持固定方法。
【請求項３】
コレットチャック固定部品は、外形が円筒形状でかん合する光ファイバ接続部を収めた本体外径の内径を有し、その一端は内径が凸状に突出し、且つ突出面は、前記、コレットチャックの円錐状に締まった形状または、広がった形状に沿ったテーパー形状であり、該コレットチャック固定部品を内径テーパー形状面で、該コレットチャックの円錐形状部を締めチャクする事を特徴とする請求項１または２記載の光ファイバ被覆コードの把持固定用部品及び把持固定方法。
【請求項４】
前記、コレットチャックは、コレットチャック固定部品の内径に収めるが、コレットチャック円錐形状部外径が締まった形状であれば、コレットチャック固定部品内径が締まった内径形状の組み合わせであり、コレットチャック円錐形状部外径が広がった形状であれば、コレットチャック固定部品内径が広がった内径形状の組み合わせである事を特徴とする請求項１〜３記載の光ファイバ被覆コードの把持固定用部品及び把持固定方法。
【請求項５】
コレットチャック固定部品のスライド移動及び固定はネジ込みによる固定または、スプリングによるバネ力により行う事を特徴とする請求項１〜４記載の光ファイバ被覆コードの把持固定用部品及び把持固定方法。
【請求項６】
請求項１〜５のいずれか一項に記載の方法により光ファイバ被覆コードを把持固定する事を特徴とする光ファイバ被覆コードの把持固定用部品及び把持固定方法。
【発明の詳細な説明】
【技術分野】
【０００１】本発明は、光ファイバ接続時において、該光ファイバの折れ、脱落のない光ファイバ被覆コードを強固に把持固定する部品及び方法に関する。
【背景技術】
【０００２】近年、インターネットの普及により、情報流通が大容量化され、光ファイバ接続の需要が増大傾向にあるが、光ファイバ接続は、光ファイバ同士を低接続損失に接続する事の他に、接続した光ファイバが折れまたは脱落がない強固な固定である事と、しかも接続現場においても簡易取り付けが可能である信頼性が高い把持固定部品及び方法が要望されている。【０００３】光ファイバ被覆コードの把持固定方法には、接着剤、加締めによる固定法、図１に示すようなくさび１を使用し押さえプレート２、Ｖ溝プレート３、クランプ部材４からなる圧接固定法（非特許文献１参照）または、本方法でもあるコレットにより把持固定する方法がある（特許文献１参照、特許文献２参照）。
【非特許文献１】「Ｏｐｔｉｇａｔｅ  光ネットワーク配線システム製品ソリュージョンカタログ  ２００４／１  住友電工  ｐ．３６  現地組立型コネクタ  ファイバ固定のしくみ」
【特許文献１】「特許公開番号  特開平０８−２７８４２８」
【特許文献２】「特許公開番号  特開平１０−３１１２９」
【発明の開示】
【発明が解決しようとする課題】
【０００４】メカニカルスプライスまたは、簡易組み立て型コネクタは、接続現場で簡単に組み立てでき、低接続損失な光ファイバ接続が可能であり、接続後においても光ファイバの折れまたは脱落がないように接着剤、加締め固定、または、バネ力による圧接により光ファイバ被覆コード部を把持し固定が行われる。【０００５】上記の光ファイバ被覆コードの固定法において、特に外径φ０．２５ｍｍ細径コードを固定する場合に、光ファイバの折れまたは脱落または、経時による抜けによる接続損失特性の低下など接続時または接続後においてもトラブルが起き易い状況下にあり、被覆コード形状に対応した安全で信頼性が高く、しかも接続現場で簡単に取り付けできる作業性の良い把持固定用部品及び把持固定方法が要求される。【０００６】かかる問題を解決する方法としては、コレットチャック部品、コレットチャック固定部品を使用した把持固定方法であり、チャック部内径は、光ファイバを損傷する事なく適度な強度で光ファイバ被覆コードを把持固定させる形状であり、安全で信頼性の高い把持固定ができ、更に、接続現場で簡単に取り付ける事が可能となる。【０００７】本発明は、かかる実情に鑑みされたものであり、その目的は、光ファイバの折れ、脱落のない強固な固定であり、更には、接続現場で簡単に取り付ける事が可能である光ファイバ被覆コードの把持固定用部品及び把持固定方法を提供する事にある。
【課題を解決するための手段】
【０００８】本発明に従えば、光ファイバ被覆コードの把持固定用部品及び把持固定方法であって、コレットチャック部品、コレットチャック固定部品により被覆コードを最適な強度で強固に固定でき、更には、接続現場で簡単に取り付けできる光ファイバ被覆コードの把持固定用部品及び把持固定方法が提供される。【０００９】本発明の把持固定用部品及び把持固定方法において、クランプ用のコレットチャック部品としては、外形が円筒形状で一端が円錐状に締まった形状または、広がった形状で連結しており、長手方向に二つ以上割りのある部品であり、円筒形状部の中心は被覆コード外径寸法の内径であり該被覆コードを収め、また円錐形状部の中心には被覆コードチャックに適した被覆コード外径寸法より小さい内径を有した部品である。【００１０】また、コレットチャック固定部品は、外形が円筒形状であり、かん合する本体外径の内径を有し、その一端は内径が凸状に突出し、かつ突出面は、コレットチャックの円錐状に締まった形状または、広がった形状に沿ったテーパー形状であり、コレットチャック円錐形状部外径が締まった形状であれば、同様に締まった内径形状の組み合わせで使用し、コレットチャック円錐形状部外径が広がった形状であれば同様に広がった内径形状の組み合わせで使用する事とする。【００１１】コレットチャックはコレットチャック固定部品内径に挿入し収めるが、該コレットチャックの円錐形状部のテーパー面と該コレットチャック固定部品内径テーパー面を合わせ、該コレットチャック円筒形状側を、本体に差し込みかん合する。【００１２】コレットチャックの開閉は、コレットチャック固定部品をスライド移動させ内径テーパー形状面により、該コレットチャックの円錐形状部を締めチャクする事で行われる。【００１３】前記、コレットチャック固定部品をスライド移動し固定する方法は、ネジ込みまたは、スプリングによるバネ力を利用し行う事とする。【００１４】コレットチャック部品または、コレットチャック固定部品は金属、プラスチックを材料とし切削、研削または成形による加工により簡単に加工し作製する事ができる。
【発明の効果】
【００１５】本発明の光ファイバ被覆コードの把持固定用部品及び把持固定方法により、被覆コード外形形状を問わず、光ファイバの折れ、脱落のない強固な固定ができ、接続現場で簡単に取り付ける事が可能となった。
【発明の実施するための最良の形態】
【００１６】以下、本発明の把持固定部品及び把持固定方法の実施形態について説明するが、本発明はこれに限定されるものではない。
【実施例】
【００１７】最初に本発明の光ファイバ被覆コードの把持固定用部品材質であるが、金属であればニッケルまたはその合金、鉄またはその合金、銅またはその合金、コバルトまたはその合金、アルミニウムまたはその合金等を使用し、プラスチックであれば熱可塑性樹脂であり、汎用エンジニアリング樹脂、スーパーエンジニアリング樹脂等を使用する事ができ、ここでは、コレットチャックは金属、コレットチャック固定部品にプラスチックを使用する事とする。【００１８】次に、光ファイバ被覆コードの把持固定用部品の加工であるが、金属であれは、切削または研削、またプラスチックであれば成形により容易に加工でき作製する事ができる。また、コレットチャック固定部品のスライド機構にスプリングを使用する場合は、把持固定に最適なバネ強度である市販のスプリングを用いれば良い。【００１９】把持固定用部品である２通りのコレットチャックの断面図を図２に示す。【００２０】本開発品であるコレットチャックには、図２（ａ）に示すような被覆コード外形形状の内径５を有し、長さ２０〜３０ｍｍ位でかん合する光ファイバ接続部本体内径寸法の外径６である円筒形状体で一端が長さ０．５ｍｍ位に渡り円錐形状７に締まり、その円錐形状部内径８は緩やかに開口した形状であり、チャック時に、割り部分９が閉口し、先端部は、被覆コード外径寸法より小径で把持固定に適した内径寸法であるコレットチャックＡ１０、また、図２（ｂ）に示すような被覆コード外形形状の内径１１を有し、長さ２０〜３０ｍｍ位でかん合する光ファイバ接続部本体内径寸法の外径１２である円筒形状体で一端が長さ０．５ｍｍ位に渡り円錐形状１３に広がり、その円錐形状部内径１４は緩やかに開口した形状であり、チャック時に、割り部分１５が閉口し、先端部は、被覆コード外径寸法より小径で把持固定に適した寸法であり、また光ファイバ接続部本体とかん合固定する為に、円筒形状部に凸状の突出部１６をふたつ対向して設けたコレットチャックＢ１７がある。【００２１】次に、コレットチャックのチャック部を締め固定する部品であるコレットチャック固定部品の断面図を図３に示す。【００２２】本開発品であるコレットチャック固定部品には、図３（ａ）に示すような長さ２０〜３０ｍｍ位の円筒形状体であり、かん合する光ファイバ接続部本体外径寸法のネジ状に加工した内径１８であり、一端は長さ０．５ｍｍ位に渡り凸状に突出した内径１９で、且つ突出面は、前記、コレットチャックＡ１０の円錐形状７に締まった形状に沿ったテーパー形状２０であるコレットチャック固定部品Ａ２１、また、図３（ｂ）に示すような長さ２０〜３０ｍｍ位の円筒体で、かん合する光ファイバ接続部本体外径寸法のネジ状に加工した内径２２であり、一端は長さ０．５ｍｍ位に渡り凸状に突出した内径２３、且つ突出面は、前記、コレットチャックＢ１７の円錐形状１３に広がった形状に沿ったテーパー形状２４であるコレットチャック固定部品Ｂ２５がある。【００２３】また、コレットチャックの把持固定に、スプリングを使用する場合は、図３（ｃ）に示したようなコレットチャック固定部品Ｂと同形状で、長さ３０ｍｍ位の円筒形状体であり、ネジ状の円筒部内径面を、平滑な内径面２６とし、一端は長さ０．５ｍｍ位に渡り凸状に突出した内径２７、且つ突出面は、前記、コレットチャックＢ１７の円錐形状１３に広がった形状に沿ったテーパー形状２８であるコレットチャック固定部品Ｃ２９を使用する事とする。【００２４】前記のコレットチャック及びコレットチャック固定部品は、コレットチャックＡ１０とコレットチャック固定部品Ａ２１、コレットチャックＢ１７とコレットチャック固定部品Ｂ２５また、コレットチャックＢ１７とコレットチャック固定部品Ｃ２９の組み合わせで使用される。【００２５】次に、メカニカルスプライスまたは簡易組立コネクタの本体３０とかん合した３タイプの把持固定部品の断面図を図４に示す。図４（ａ）はコレットチャックＡ１０、コレットチャック固定部品Ａ２１の組み立て図であり、図４（ｂ）はコレットチャックＢ１７、コレットチャック固定部品Ｂ２５の組み立て図であり、図４（ｃ）はコレットチャックＢ１７、コレットチャック固定部品Ｃ２９の組み立て図である。【００２６】図４（ａ）は、コレットチャックＡ１０の円錐形状テーパー面７とコレットチャック固定部品Ａ２１の内径凸状に突出したテーパー面２０を合わせた状態で、他端であるコレットチャックＡ円筒形状部は本体３０内径部へ差し込み、コレットチャック固定部品Ａ２１は、該本体のネジ加工された外周部３１と接合する。【００２７】図４（ｂ）は、初めにコレットチャック固定部品Ｂ２５を、本体３０のネジ加工された外周部３１にネジ込みかん合させ、次にコレットチャックＢ１７の円筒形状部を本体３０内径部へ差し込むが、コレットチャックＢ１７の円筒形状部凸部１６が収まる、凹状の溝３２を本体内径部に設け、固定を行う事とする。【００２８】図４（ａ）、（ｂ）共に、コレット固定部品は、本体３０のネジ加工された外周部３１とかん合されるが、コレットチャックが、締まる方向に該コレット固定部品を回転させ移動する事でチャック部が締まる構造とする。【００２９】図４（ｃ）は、コレットチャックＢ１７の円錐形状テーパー面１３とコレットチャック固定部品Ｃ２９の内径凸状に突出したテーパー面２８を合わせた状態で、該コレットチャックＢ１７円筒形状部に、スプリング３３挿入後、該スプリング３３を圧縮させながら、円筒形状部を本体３０内径部へ差し込むが、図４（ｂ）同様に円筒形状部凸部１６が収まる、凹状の溝３２を本体内径部に設け、固定を行う事とする。【００３０】前記、内蔵されたスプリング３３の一端は、該コレットチャック固定部品Ｃの内径凸状に突出した面２７にあたり、また他端は、接合した本体の端面３４にあたる為、スプリングのバネ力によりコレットチャックＢ１７のチャック部が締まる構造とする。【００３１】組み立てられた把持固定部品の光ファイバ接続断面略図を図５に示すが、次の手順により光ファイバの接続が行われる。【００３２】図５（ａ）、（ｂ）はネジ込み式である把持固定部品の光ファイバ接続断面略図であるが、光ファイバ被覆コード端部の被覆を除去し、光ファイバをアルコールで拭き取り、端面をカッターで鏡面にカット及び長さを調整し、コレットチャック内径部を介し、光ファイバを挿入し接続させた後、コレットチャック部が締まる方向にコレットチャック固定部品Ａ２１またはコレットチャック固定部品Ｂ２５を回転させ強固に固定する。【００３３】また、図５（ｃ）は、スプリングを使用した把持固定部品の光ファイバ接続断面略図あり、コレットチャック固定部品Ｃをスプリングが圧縮する方向にスライドさせ、チャック部を開口させ、光ファイバ被覆コード端部の被覆を除去し、光ファイバをアルコールで拭き取り、端面をカッターで鏡面にカット及び長さを調整し、コレットチャック内径部を介し、光ファイバを挿入し接続させた後、スプリングを開放しバネ力を利用し光ファイバコードを強固に固定する。【００３４】コレットチャックのチャック部内径形状は、固定する光ファイバ被覆コード形状より小径である為、引張り強度の高い強固な把持が行われ、且つ脆弱な光ファイバを損傷しない程度の内径寸法である為、安全で信頼性の高い、光ファイバ被覆コードの把持固定が実現できる。
【図面の簡単な説明】
【００３５】
【図１】光ファイバの圧接固定法を示した略図である。  （ａ）圧接固定前略図  （ｂ）圧接固定前後図
【図２】コレットチャックを示した断面図である。  （ａ）コレットチャックＡ  （ｂ）コレットチャックＢ
【図３】コレットチャック固定部品を示した断面図である。  （ａ）コレットチャック固定部品Ａ  （ｂ）コレットチャック固定部品Ｂ  （ｃ）コレットチャック固定部品Ｃ
【図４】把持固定部品を示した組み立て断面図である。  （ａ）組み立て図Ａ  （ｂ）組み立て図Ｂ  （ｃ）組み立て図Ｃ
【図５】把持固定部品の光ファイバ接続を示した断面略図である。  （ａ）組み立て図Ａの光ファイバ接続断面略図  （ｂ）組み立て図Ｂの光ファイバ接続断面略図  （ｃ）組み立て図Ｃの光ファイバ接続断面略図
【符号の説明】
【００３６】  １    くさび
２    押さえプレート
３    Ｖ溝プレート
４    クランプ部材
５    コレットチャックＡ内径
６    コレットチャックＡ外径
７    コレットチャックＡ円錐形状部
８    コレットチャックＡ円錐形状部内径
９    コレットチャックＡ割り部分
１０    コレットチャックＡ
１１    コレットチャックＢ内径
１２    コレットチャックＢ外径
１３    コレットチャックＢ円錐形状部
１４    コレットチャックＢ円錐形状部内径
１５    コレットチャックＢ割り部分
１６    突出部
１７    コレットチャックＢ
１８    コレットチャック固定部品Ａネジ状に加工した内径
１９    コレットチャック固定部品Ａ突出した内径
２０    コレットチャック固定部品Ａテーパー形状
２１    コレットチャック固定部品Ａ
２２    コレットチャック固定部品Ｂネジ状に加工した内径
２３    コレットチャック固定部品Ｂ突出した内径
２４    コレットチャック固定部品Ｂテーパー形状
２５    コレットチャック固定部品Ｂ
２６    コレットチャック固定部品Ｃ円筒部内径面
２７    コレットチャック固定部品Ｃ突出した内径
２８    コレットチャック固定部品Ｃテーパー形状
２９    コレットチャック固定部品Ｃ
３０    本体
３１    ネジ状に加工された外周部
３２    本体内径部凹状の溝
３３    スプリング
３４    かん合した本体の端面
【図１】
2006023689.tif 000003
【図２】
2006023689.tif 000004
【図３】
2006023689.tif 000005
【図４】
2006023689.tif 000006
【図５】
2006023689.tif 000007